(57)【要約】【課題】基台２の上面側に展示装置１におけるケース本体３を配置し、空気から分離した窒素ガスを前記ケース本体３内に供給する窒素ガス発生装置２０を前記基台２内に配置するにおいて、窒素ガス発生装置２０のメインテナンス作業を容易にする。【解決手段】窒素ガス発生装置２０は、少なくともエアコンプレッサ２３と、エアフィルタと、ドライヤーと、中空糸分離膜からなる窒素ガス変換モジュール３１と、加湿手段とを備え、基台２内に、窒素ガス発生装置２０が載置された載置台２１をサスペンションレールを介して配置し、基台２における開閉扉７を開いたとき載置台２１を搬出可能に構成したものである。【選択図】　図１
2004081306.tif 000002
【特許請求の範囲】
【請求項１】
基台の上面側に展示装置におけるケース本体を配置し、前記基台内に空気から分離した窒素ガスを前記ケース本体内に供給する窒素ガス発生装置を配置してなる展示装置において、
前記窒素ガス発生装置は、少なくともエアコンプレッサと、エアフィルタと、ドライヤーと、中空糸分離膜からなる窒素ガス変換モジュールと、加湿手段とを備え、
前記エアコンプレッサからの排気を床面方向に放出するための排気ダクトを備えた
ことを特徴とする窒素ガス発生装置付き展示装置。
【請求項２】
基台の上面側に展示装置におけるケース本体を配置し、前記基台内に空気から分離した窒素ガスを前記ケース本体内に供給する窒素ガス発生装置を配置してなる展示装置において、
前記窒素ガス発生装置は、少なくともエアコンプレッサと、エアフィルタと、ドライヤーと、中空糸分離膜からなる窒素ガス変換モジュールと、加湿手段とを備え、
前記基台内に、前記窒素ガス発生装置が載置された載置台を配置し、
前記基台における開閉扉を開いたとき前記載置台を搬出可能に構成したことを特徴とする窒素ガス発生装置付き展示装置。
【請求項３】
前記載置台には、前記エアコンプレッサからの排気を床面方向に放出するための排気ダクトを備えたことを特徴とする請求項２に記載の窒素ガス発生装置付き展示装置。
【請求項４】
前記エアコンプレッサと前記窒素ガス発生装置におけるその他の機器との間にメインテナンス空間を設けたことを特徴とする請求項１乃至３のいずれかに記載の窒素ガス発生装置付き展示装置。
【請求項５】
前記窒素ガス変換モジュールにおける富酸素ガス排出管を前記排気ダクトに連通させたことを特徴とする請求項１、３、４のいずれかに記載の窒素ガス発生装置付き展示装置。
【請求項６】
前記窒素ガス発生装置にて発生させた窒素ガスを、可撓性を有する管を介してケース本体内に供給するように構成したことを特徴とする請求項１乃至５のいずれかに記載の窒素ガス発生装置付き展示装置。
【発明の詳細な説明】
【０００１】
【発明の属する技術分野】
本発明は、展示ケース内の展示物が、黴や害虫に侵されたり、空気中の酸素により劣化したりしないように窒素ガスにて充満することができる窒素ガス発生装置付き展示装置の構成に関するものである。
【０００２】
【従来の技術】
従来から、この種の展示装置として、特開平９−２８５２０号公報では、展示品を収納して陳列する展示ケース内に窒素ガスを供給する窒素ガス発生装置が開示されている。この装置は、コンプレッサにより外気を高圧で導入し、次いでその高圧空気中の水分と塵を除湿妨塵フィルタにて除去したのち、吸着剤活性炭を内臓した２つの吸着槽にてその空気中の酸素ガスを吸着・除去し、窒素ガスのみを生成し、これをバッファタンク内にストックする、その後、流量調整弁を介して窒素ガスの一部を加湿装置に通して適度の水分を付与し、他の乾燥した窒素ガスの一部と混合器で混合させる。この混合した窒素ガスの湿度を調整した後展示ケース内に供給するように構成したものであり、この窒素ガス発生装置は展示ケースの下部に設けられて扉で開閉される収納室内に設けられたものである。
【０００３】
他方、例えば特開平２−２５２６０９号公報、特開平６−２３４５１９号公報、特開平１１−１５６１４０号公報等にて知られているように、中空糸分離膜を利用して、空気から酸素ガスと窒素ガスとに分離する窒素ガス発生装置では、空気（外気）をコンプレッサにて高圧（圧縮）にし、且つ乾燥して後前記中空糸分離膜モジュールに供給するものである。
【０００４】
【発明が解決しようとする課題】
ところで、前記従来技術のように、展示ケースの下部の密閉された収納室内に、前記いずれかのタイプの窒素ガス発生装置に高圧の空気を導入するためのエアコンプレッサを備えた場合、その圧縮熱をエアコンプレッサから機外に放出する結果、前記密閉された収納室内に籠もる。特に収納室内の天井側（上部側）に高い温度の熱が籠もり易い。この収納室の上面に隣接して展示ケースの床面が配置されているから、当該展示ケース内の温度も上昇し、展示物にダメージを与え易いという問題があった。
【０００５】
また、前記窒素ガス発生装置を狭い収納室内に配置すると、これらの装置における各部品のメインテナンスの作業が実行し難いという問題もあった。
【０００６】
本発明は、これらの問題を解決することを技術的課題とするものである。
【０００７】
【課題を解決するための手段】
前記技術的課題を解決するため、請求項１に記載の発明は、基台の上面側に展示装置におけるケース本体を配置し、前記基台内に空気から分離した窒素ガスを前記ケース本体内に供給する窒素ガス発生装置を配置してなる展示装置において、前記窒素ガス発生装置は、少なくともエアコンプレッサと、エアフィルタと、ドライヤーと、中空糸分離膜からなる窒素ガス変換モジュールと、加湿手段とを備え、前記エアコンプレッサからの排気を床面方向に放出するための排気ダクトを備えたことを特徴とするものである。
【０００８】
他方、請求項２に記載の発明は、基台の上面側に展示装置におけるケース本体を配置し、前記基台内に空気から分離した窒素ガスを前記ケース本体内に供給する窒素ガス発生装置を配置してなる展示装置において、前記窒素ガス発生装置は、少なくともエアコンプレッサと、エアフィルタと、ドライヤーと、中空糸分離膜からなる窒素ガス変換モジュールと、加湿手段とを備え、前記基台内に、前記窒素ガス発生装置が載置された載置台を配置し、前記基台における開閉扉を開いたとき前記載置台を搬出可能に構成したことを特徴とするものである。
【０００９】
そして、請求項３に記載の発明は、請求項２に記載の窒素ガス発生装置付き展示装置において、前記載置台には、前記エアコンプレッサからの排気を床面方向に放出するための排気ダクトを備えたものである。
【００１０】
また、請求項４に記載の発明は、請求項１乃至３のいずれかに記載の窒素ガス発生装置付き展示装置において、前記エアコンプレッサと前記窒素ガス発生装置におけるその他の機器との間にメインテナンス空間を設けたものである。
【００１１】
請求項５に記載の発明は、請求項１、３、４のいずれかに記載の窒素ガス発生装置付き展示装置において、前記窒素ガス変換モジュールにおける富酸素ガス排出管を前記排気ダクトに連通させたものである。
【００１２】
さらに、請求項６に記載の発明は、請求項１乃至５のいずれかに記載の窒素ガス発生装置付き展示装置おいて、前記窒素ガス発生装置にて発生させた窒素ガスを、可撓性を有する管を介してケース本体内に供給するように構成したものである。
【００１３】
【発明の実施の形態】
次に、本発明を具体化した実施形態を図面を参照しながら説明する。図１は本発明に係る展示装置の斜視図、図２（ａ）は基台の扉を開いた状態の正面図、図２（ｂ）はケース本体を上昇させた状態で窒素ガス発生装置の図示省略した概略側断面図、図３は窒素ガス発生装置のブロック図、図４は窒素ガス発生装置を載置した載置台を基台から引き出した状態の斜視図、図５はコンプレッサにおける排気ダクトの斜視図、図６は排気ダクトの裏面図である。
【００１４】
本発明に係る展示装置１は、下面が開放された基台２とその上面にて昇降可能なケース本体３とから構成されている。基台２は金属製のフレーム枠４の３周が側カバー板５にて覆われ、フレーム枠４の一側は上下一対の蝶番６を介して横開き回動する開閉扉７にて開閉可能に構成されている。また基台２の上面は天板８にて覆われている。
【００１５】
ケース本体３は、下端に前記基台２の平面視外周と略同じ矩形の枠体９を有する。この枠体９は前記天板８の上面外周側にのみ当接可能な平面視中空状に形成されている。該枠体９の上面には４側周の透明なガラス板またはアクリル樹脂板等の透明板１０を立設し、該４枚の透明板１０の上端側の開口部分を同じく透明天板１１にて覆い、中空枠体９と各透明板１０との間及び透明板１０、透明天板１１の端部間をコーキング材１２にて気密に固定・接着する（図７参照）。そして、基台２におけるフレーム４内に昇降アクチュエータの一例としての４本の油圧シリンダ１３を立設固定し、各油圧シリンダ１３の上向き突出可能なピストンロッド１３ａの上端を前記枠体９にボルト１４等にて固定連結する。この構成により、ケース本体３は基台２に対して昇降可能であり、ケース本体３を大きく上昇させると、天板８の上面に対して展示物Ｔを簡単に出し入れすることができる。油圧シリンダに代えて、エアシリンダとしても良い。
【００１６】
また、この枠体９の内周側を樹脂製等のカバー体１５にて覆い、ビス１６にて固定すると共に、前記ピストンロッド１３ａと前記枠体９との間の隙間からの空気がケース本体３の内側に入らぬように、カバー体１５と枠体９の外面との間をコーキング材にて密封する。前記枠体９の下面であって、ピストンロッド１３ａとの取付け個所より内径側には、パッキン１７を接着固定しておく（図７参照）。これにより、ケース本体３を下降させて前記枠体９の下面側のパッキン１７が天板８に密接すると（図７二点鎖線状態を参照）、ケース本体３内は外気と完全に遮断されることになる。なお、ケース本体３における前記透明天板１１の上方には、照明装置１８が配置されており、これにより、展示物Ｔに照明光を照射できる。
【００１７】
次に、窒素ガス発生装置２０の構成及びその配置について説明する。図１〜図２、図４〜図６に示すように、基台２内の下部に配置した載置台（テーブル）２１は、フレーム４との間に設けた左右両側のサスペンションレール２２により略水平にて進退動可能に設けられている。実施例における従来から公知のサスペンションレール２２は、フレーム４側に固定した固定レールとこれに対して往復移動可能な中間レールと、該中間レールに対して往復移動可能な移動レールと、これらレールの案内溝に沿って配置したリテーナ付きの多数個のボールとにより構成されている。前記開閉扉７を大きく開いた状態で、載置台２１の大部分が基台２より外に搬出されて露出できるように構成されている。
【００１８】
前記載置台２１には窒素ガス発生装置２０を搭載する。該窒素ガス発生装置２０は、少なくとも外気を圧縮するエアコンプレッサ２３と、エアフィルタ２４と、ドライヤー２６と、中空糸分離膜からなる窒素ガス変換モジュール３１と、減圧弁３２と、加湿手段３４とを備え、また、エアコンプレッサ２３からの排気を床面方向に放出するための排気ダクト３５を備える。より詳しくは、図３に示すごとく、エアコンプレッサ２３にて高圧にされた空気は、エアコンプレッサ２３内に配置されたバッファタンク（図示しない）に一時的に貯蔵され、次いでエアフィルタ２４にて圧縮空気中の水分を除去し、次いでオイルミストを除去するオイルミストフィルタ２５を通過させて塵を除去する。その場合、エアフィルタ２４の出口とオイルミストフィルタ２５の出口との間の圧力差を計測する差圧計２７により、その圧力低下からオイルミストフィルタ２５の目詰まりを検知して、そのフィルタの交換時期を知ることができるようにしている。
【００１９】
経路の下流側に接続する中空糸分離膜からなる窒素ガス変換モジュール３１に水分を含む空気を供給すると、その中空糸分離膜モジュール（組織）の膜面で水分が凝縮して膜の透過性能が低下して窒素ガスの収量が悪化する。それゆえ前以ってドライヤー２６にて圧縮空気を乾燥させる必要がある。このドライヤー２６を冷却型にて構成した場合は、圧縮空気中から除去した水分をドレン２９に溜める。ドライヤー２６を中空糸分離膜モジュール（組織）に構成した場合、透過速度の速い水蒸気は中空糸分離膜を通過し、ドライヤー２６の一方の出口から外気に放出することにより、実質上外気に水蒸気を混入させることで、ドレン２９を必要としない。前記ドライヤー２６における膜を通過しなかった乾燥圧縮空気（窒素ガス及び酸素ガスを含む）はドライヤー２６の他方の出口からレギュレータ３０を介して窒素ガス変換モジュール３１に送られる。
【００２０】
窒素ガス変換モジュール３１では、窒素ガス（富化窒素ガス）と酸素ガス（富化酸素ガス）とに分離される。窒素ガス変換モジュール３１における富化酸素ガス排出管３６の出口は、前記エアコンプレッサ２３における排気ダクト３５内に連通されており、密閉状態の基台２内に酸素ガスを放出させないように構成している。もし、前記密閉状態の基台２内に配置したエアコンプレッサ２３の外気取り入れ口２３ａで酸素ガスの含有率の高い外気（空気）を取り入れるという循環を繰り返すと、エアコンプレッサ２３から供給される圧縮空気中の酸素ガスの含有量が次第に多くなり、窒素ガス変換モジュール３１での窒素ガスの収量が低下し、窒素ガスの発生効率が悪化するからである。窒素ガス変換モジュール３１の他方の出口に接続した窒素ガス吐出管３７の途中には、減圧弁３２及び圧力計３３を設けて、窒素ガス変換モジュール３１での窒素ガス発生量を調節すると共に下流側（ケース本体３側）への窒素ガスの圧力を減圧し、且つ供給量を調節する。窒素ガス変換モジュール３１にて分離生成された窒素ガス（実施例では窒素ガス純度９９．５％）は完全な乾燥状態であるので、加湿手段３４に送られて、ケース本体３その内部に置いた展示物Ｔが乾燥し過ぎないように適度の湿度が付与される。
【００２１】
加湿手段３４は、窒素ガスの流量を微調節できるオリフィス型の第１流量計３８を介して乾燥した窒素ガスをそのまま通過させる第１通路３９と、窒素ガスの流量を微調節できるオリフィス型の第２流量計４０と水（蒸留水）中を潜らせる湿潤器４１と流量調整弁４２とを介して通過させる第２通路４３とを下流側出合流させる。これにより、ケース本体３内に供給する窒素ガスの湿度を任意に且つ微調節することができる。前記第１通路３９と第２通路４３とを合流させた供給管４４の出口４５を、前記基台２の天板８の適宜個所に設け、ケース本体３内に所定の湿度を有する窒素ガスを供給するものである。
【００２２】
前記ケース本体３からの排気口４６に接続した排気管４７の途中には、逃がし弁（安全弁）４８を設けて、前記ケース本体３内の窒素ガスの圧力が大気圧より１０〜５０ｍｍ水柱程度高い値に保持できるように構成されている。前記供給管４４及び排気管４７は合成樹脂製またはゴム製等のホースのような可撓性を有し、且つ各管の長さも長くするようにして、後述するように載置台２１を基台２から外に引き出したときにも、弛み等の余裕があるように構成されている。
【００２３】
また、排気管４７の先端側には閉止弁４９を設けてあり、この閉止弁４９の下流側の管５１には、前記ケース本体３内の窒素ガスの濃度を計測する計測器５０が着脱自在に装着できるように構成されている。ケース本体３内に窒素ガスを供給してケース本体３内の空気と置換する作業を迅速にするため、前記管５１に吸引ポンプを接続して運転することでケース本体３内の空気を迅速に除去し、窒素ガスとの置換に要する時間を短縮することができる。
【００２４】
図１、図２（ａ）、図４、図５及び図６に示すように、載置台２の一側に偏らせて配置したエアコンプレッサ２３における略箱状の外ケース２３ｂの一側面（実施例では、窒素ガス変換モジュール３１の配置側）には、前述したように外気取り入れ口２３ａが適宜個所及び位置に設けられたカバー体５２を着脱自在に設けられている。載置台２に対して固定台を介して固定された窒素ガス変換モジュール３１の上方には、電源スイッチ等を備えた制御ボックス５７が支柱５８を介して固定されており、これら制御ボックス５７や窒素ガス変換モジュール３１と、前記エアコンプレッサ２３のカバー体５２を有する一側面との間に当該カバー体５２を着脱できる程度の寸法略５ｃｍ〜１０ｃｍの間隔のメインテナンス空間５９（図２（ａ）参照）が形成されている。このメインテナンス空間５９の存在により、前記カバー体５２における外気取り入れ口２３ａに張設しているエアフィルタ（図示せず）等の定期的交換や、エアコンプレッサ２３の内部の部品のメインテナンス作業を容易にすることができる。
【００２５】
なお、外気取り入れ口２３ａが、前記外ケース２３ｂの他側面（実施例では、窒素ガス変換モジュール３１の配置側と反対側、基台２における側カバー体５と対面する側）に配置されている場合、側カバー体５と外ケース２３ｂの他側面との間に適宜隙間のメインテナンス空間を有するように構成しておけば、載置台２１を基台２から引き出して、前記外気取り入れ口２３ａに張設しているエアフィルタ（図示せず）等の定期的交換や、エアコンプレッサ２３の内部のメインテナンス作業を容易にすることができる。
【００２６】
次に、前記密閉状態の基台２内部の換気構成について、図５及び図６を参照しながら説明すると、前記エアコンプレッサ２３を載置する載置台２１には、床面側からの空気を取り入れるための換気フアン５３が設けられている。前記エアコンプレッサ２３における外ケース２３ｂの上面には、空気を圧縮したときに発生する圧縮熱を排出するための排気口２３ｃが開口されており、この排気口を上から被せるように、排気ダクト３５における中空箱状の上ケース３５ａを外ケース２３ｂの上面に固着し、該上ケース３５ａの他端の下向き通路中に排気用フアン５４を連結し、これに下向きダクト３５ｂを連設する。該下向きダクト３５ｂの下端は載置台２１より下方であって床面５５との間に適宜の隙間を有する。また、下向きダクト３５ｂの下部側には偏向板５６を設けて、排気が床面５５に対して斜めに吹き出し、速やかに基台２の外に排出できるように構成されている（図６参照）。さらに、前記窒素ガス変換モジュール３１からの富化酸素ガス排出管３６の出口を前記下向きダクト３５ｂ内に連通させることにより、前記酸素ガス（富化酸素ガス）をエアコンプレッサ２３の排気（排熱）と共に速やかに基台２の外に排出させる。これにより、密閉状の基台２内に酸素ガスの含有率が高い空気が溜まらないから、前記窒素ガス変換モジュール３１による窒素ガスの収量（収率）を低下させることがないという効果を奏する。
【００２７】
上記の構成により、ケース本体３を一旦上昇させて内部の展示物Ｔを交換した後、ケース本体３を下降させて天板８との間で密閉状態にしてから、基台２内に配置した窒素ガス発生装置２０の運転を開始する。
【００２８】
本実施例では、ケース本体３の容積が０．８３立法メートルとし、窒素ガス変換モジュール３１にて分離生成される窒素ガス量を３．３リットル／分とすると、空気と置換してケース本体３内を９９．５％窒素ガス純度にするには略２０時間連続運転することを要する。その後は、ケース本体３内の窒素ガスの若干の漏出に応じて補充するように断続運転すれば良い。
【００２９】
エアコンプレッサ２３の運転により発生した排気・排熱は、前記排気ダクト３５を介して強制的に、且つ速やかに基台２外に排出されるから、密閉状態の基台２内に熱が籠もらず、また熱が基台２とケース本体３との仕切り板としての天板８に伝達してケース本体３内の窒素ガス（雰囲気ガス）や展示物Ｔの温度を過大に上昇させることを防止でき、展示物Ｔにダメージを与えないという効果を奏する。
【００３０】
そして、窒素ガス発生装置２０の定期点検や前記加湿手段３４における浸潤器４１内の水供給（補給）等のメインテナンス作業に際しては、開閉扉７を開いて、載置台２１ごと窒素ガス発生装置２０を基台２から外に搬出させ、この開放状態では窒素ガス発生装置２０の大部分が露出し作業者の手が届き易くなり、メインテナンス作業が至極容易にできる。そして、窒素ガス発生装置２０からの窒素ガス供給のための供給管４４や、排気管４７を可撓性の有る管にて長く形成しておけば、前記メインテナンス作業の度にこれらの管を着脱する手間も省ける。
【００３１】
前記実施形態における窒素ガス発生装置２０を載置するための載置台２１は、基台２に対してサスペンションレール２２を介して引き出し（搬出）可能に連結された構成であったが、他の実施形態として、載置台２１の下面に床面に対して転動する車輪（コロ）を備え、且つこの載置台２１を基台２とは独立（分離）可能とし、開閉扉７を開いた状態で、窒素ガス発生装置２０と共に載置台２１を基台２から大きく搬出できる構成としても良い。その場合、前記載置台２を床面及び／または基台２に対して移動不能に固定（停止）させる手段を備えることが好ましい。
【００３２】
排気ダクト３５の下向きダクト３５ｂの排気の偏向を促進するための構成の他の実施形態としては、図８（ａ）に示すように、下向きダクト３５ｂの側面下部３５ｃを、下向きダクト３５ｂ内に設けた偏向板５６の向きと略平行状に傾斜形成させてても良いし、図８（ｂ）に示すように、下向きダクト３５ｂの下端開口部の近傍の内部に、断面三角形状の偏向板５６ａを配置しても良い。図８（ｂ）に示す構成では、排気を左右両側に分散させつつ床面に対して鈍角状に吹き付けるので基台２内に排気が留まらないようにする効果が一層促進される。
【００３３】
さらに、エアコンプレッサ２３の排気口が外ケース２３ｂの側面に位置する場合であっても、排気ダクト３５は、前記排気口から載置台２１より下方に延びるようにして設ける。
【００３４】
尚、本発明においては、展示装置におけるケース本体３が昇降するタイプのもの以外でケース本体の上面の透明板部が開閉できるものや、室内の壁面に沿って配置された密閉状の展示装置の正面が開閉可能な透明扉にて構成もの等の種々の形態の展示装置に適用できるものである。
【００３５】
【発明の効果】
以上に詳述したように、請求項１に記載の発明は、基台の上面側に展示装置におけるケース本体を配置し、前記基台内に空気から分離した窒素ガスを前記ケース本体内に供給する窒素ガス発生装置を配置してなる展示装置において、前記窒素ガス発生装置は、少なくともエアコンプレッサと、エアフィルタと、ドライヤーと、中空糸分離膜からなる窒素ガス変換モジュールと、加湿手段とを備え、前記エアコンプレッサからの排気を床面方向に放出するための排気ダクトを備えたことを特徴とするものである。
【００３６】
このように構成すれば、密閉状態の基台内にて窒素ガス発生装置を運転した場合に発生するエアコンプレッサからの温度の高い排気が基台内に籠もらず、基台とケース本体との仕切りとなる板やケース本体内の窒素ガスの温度の上昇を確実に防止でき、ケース本体内の展示物にダメージを与えないという効果を奏する。
【００３７】
他方、請求項２に記載の発明は、基台の上面側に展示装置におけるケース本体を配置し、前記基台内に空気から分離した窒素ガスを前記ケース本体内に供給する窒素ガス発生装置を配置してなる展示装置において、前記窒素ガス発生装置は、少なくともエアコンプレッサと、エアフィルタと、ドライヤーと、中空糸分離膜からなる窒素ガス変換モジュールと、加湿手段とを備え、前記基台内に、前記窒素ガス発生装置が載置された載置台を配置し、前記基台における開閉扉を開いたとき前記載置台を搬出可能に構成したことを特徴とするものである。このように構成すれば、メインテナンス作業時に開閉扉を開いて載置台と共に窒素ガス発生装置を基台から外に出した状態で点検等を実行できるからメインテナンス作業が至極容易にできるという効果を奏する。
【００３８】
そして、請求項３に記載の発明は、請求項２に記載の窒素ガス発生装置付き展示装置において、前記載置台には、前記エアコンプレッサからの排気を床面方向に放出するための排気ダクトを備えたものであるから、請求項２に記載の発明による効果に加えて、窒素ガス発生装置の運転時に発生するエアコンプレッサからの温度の高い排気が基台内に籠もらず、基台とケース本体との仕切りとなる板やケース本体内の窒素ガスの温度の上昇を確実に防止でき、ケース本体内の展示物にダメージを与えないという効果を奏する。また、排気ダクトを移動可能な載置台に設けているから、メインテナンス作業の開始、終了ごとに着脱する手間も不要となる。
【００３９】
また、請求項４に記載の発明は、請求項１乃至３のいずれかに記載の窒素ガス発生装置付き展示装置において、前記エアコンプレッサと前記窒素ガス発生装置におけるその他の機器との間にメインテナンス空間を設けたものであるから、請求項１乃至３のいずれかに記載の発明による効果に加えて、エアコンプレッサのメインテナンス作業もし易くなるという効果を奏する。
【００４０】
請求項５に記載の発明は、請求項１、３、４のいずれかに記載の窒素ガス発生装置付き展示装置において、前記窒素ガス変換モジュールにおける富酸素ガス排出管を前記排気ダクトに連通させたものであるから、窒素ガス発生装置の運転時に生成される富化酸素ガスがエアコンプレッサの排気と共に基台から外に迅速に排出でき、密閉した基台内に富化酸素ガスが溜まることがなく、窒素ガス変換モジュールによる窒素ガスの収率（生成効率）を悪化させることがないという効果を奏する。
【００４１】
さらに、請求項６に記載の発明は、請求項１乃至５のいずれかに記載の窒素ガス発生装置付き展示装置おいて、前記窒素ガス発生装置にて発生させた窒素ガスを、可撓性を有する管を介してケース本体内に供給するように構成したものであるので、メインテナンス作業に伴って、窒素ガス発生装置とケース本体とを繋ぐ窒素ガス供給のための管を着脱する手間が省けるという効果を奏する。
【図面の簡単な説明】
【図１】窒素ガス発生装置付き展示装置の概略斜視図である。
【図２】（ａ）は開閉扉を開いた状態の窒素ガス発生装置付き展示装置の正面図、（ｂ）はケース本体を上昇させた状態の一部切欠き側断面図である。
【図３】窒素ガス発生装置のブロック図である。
【図４】載置台を引き出した状態の窒素ガス発生装置の斜視図である。
【図５】窒素ガス発生装置における排気ダクト等を示す斜視図である。
【図６】排気ダクト等の配置を示す一部切欠き背面図である。
【図７】基台の上部とケース本体との仕切り部の拡大断面図である。
【図８】（ａ）は排気ダクトの排気偏向部の他の実施形態を示す断面図、（ｂ）はさらに他の実施形態を示す断面図である。
【符号の説明】
１　　　展示装置
２　　　基台
３　　　ケース本体
８　　　天板
９　　　枠体
１３　　　昇降アクチュエータとしての油圧シリンダ
２０　　　窒素ガス発生装置
２１　　　載置台
２２　　　サスペンションレール
２３　　　エアコンプレッサ
２３ａ　　外気取り入れ口
２４　　　エアフィルタ
２５　　　ミストフィルタ
２６　　　ドライヤー
３１　　　窒素ガス変換モジュール
３２　　　減圧弁
３４　　　加湿手段
３５　　　排気ダクト
４２　　　流量調整弁
５２　　　カバー体
５３　　　換気フアン
５４　　　排気フアン
【図１】
2004081306.tif 000003
【図２】
2004081306.tif 000004
【図３】
2004081306.tif 000005
【図４】
2004081306.tif 000006
【図５】
2004081306.tif 000007
【図６】
2004081306.tif 000008
【図７】
2004081306.tif 000009
【図８】
2004081306.tif 000010